【手続補正書】
【提出日】平成30年8月16日(2018.8.16)
【手続補正１】
【補正対象書類名】特許請求の範囲
【補正対象項目名】全文
【補正方法】変更
【補正の内容】
【特許請求の範囲】
【請求項１】
用紙ベースのセンサの比色分析処理方法であって、
カメラを使用して比色反応のために比色用紙センサの写真を撮像することと、
画像処理によって用紙センサの種類を識別することと、
染料及び基準色の双方が吸収を有する色チャネルであって染料及び基準色の双方がほぼゼロの吸収を有する１つの前記色チャネルを識別することと、
各色チャネルにおける前記染料と前記基準色との間の既知の吸収率を識別することと、
非検査エリアから前記チャネルにおける各検査エリアを分離することと、
空間的変動を除去するために前記ほぼゼロの吸収チャネルによって各吸収チャネルを正規化することと、
合成画像における前記基準色及び基板白によって前記検査エリアの読み取り値をキャリブレーションすることと、
各検査エリアにおけるキャリブレーションされた読み取り値に基づいて検査物質検体の濃度を報告することと、
を含む、比色分析処理方法。
【請求項２】
画像処理によって、前記ほぼゼロの吸収チャネル内に前記検査エリアを配置することをさらに含む、請求項１に記載の方法。
【請求項３】
追加のカメラを使用して前記比色用紙センサの他の写真を撮像し、１つ以上の吸収チャネルから合成画像を構成することをさらに含む、請求項２に記載の方法。
【請求項４】
前記比色用紙センサが、流体中の生体物質の濃度を判定するための生物医学的用紙センサであり、
複数の軸対称の検査ゾーンを備え、
前記検査ゾーンが中心点から外側に放射状に広がっており、
前記軸対称の検査ゾーンのそれぞれが、ワックスインク障壁によって分割され、
前記軸対称の検査ゾーンのそれぞれが、その中に固有の試薬を含み、
前記複数の軸方向の検査ゾーンを囲む基準領域を備え、
前記基準領域が、前記軸方向の検査ゾーンのうちの１つ以上と比較するための第１の予め決定可能な色を含む第１のキャリブレーション色エリアを含む、請求項１に記載の方法。
【請求項５】
前記複数の検査ゾーンが少なくとも２つである、請求項４に記載の方法。
【請求項６】
前記生物医学的用紙センサがさらに、
基準領域エリアと前記軸方向の検査ゾーンエリアの合成エリアを含む全装置エリアを含み、
前記軸方向の検査ゾーンエリアが、前記全装置エリアの少なくとも３７．５％である、請求項４に記載の方法。
【請求項７】
前記軸対称の検査ゾーンのそれぞれは面積が少なくとも５ｍｍ２である、請求項４に記載の方法。
【請求項８】
前記ワックスインク障壁は少なくとも１００μｍの厚さを有する、請求項４に記載の方法。
【請求項９】
前記基準領域エリアが、前記軸方向の検査ゾーンエリアと前記キャリブレーション色エリアとを分離する基板領域をさらに含む、請求項６に記載の方法。
【請求項１０】
前記基準領域が前記軸方向の検査ゾーンのうちの１つ以上と比較するための第２の予め決定可能な色を含む第２のキャリブレーション色エリアをさらに含み、
前記第１及び第２のキャリブレーション色エリアはそれぞれ、前記軸方向の検査ゾーンのうちの１つ以上と比較するための第１および第２の予め決定可能な色を含み、各検査エリアにおけるキャリブレーションされた読み取り値に基づいて少なくとも２つの検査物質検体の濃度が報告される、
請求項４に記載の方法。
【請求項１１】
用紙ベースのセンサの比色分析処理方法であって、
比色反応のために比色用紙センサの写真を撮像することと、
画像処理によって用紙センサの種類を識別することと、
染料及び基準色の双方が吸収を有する色チャネルであって染料及び基準色の双方がほぼゼロの吸収を有する１つの前記色チャネルを識別することと、
各色チャネルにおける前記染料と前記基準色との間の既知の吸収率を識別することと、
非検査エリアから前記チャネルにおける各検査エリアを分離することと、
空間的変動を除去するために前記ほぼゼロの吸収チャネルによって各吸収チャネルを正規化することと、を含み、
前記比色用紙センサが生物医学的用紙センサであり、
前記生物医学的用紙センサが複数の軸方向に放射状に広がった検査ゾーンを含み、
前記軸方向に放射状に広がった検査ゾーンのそれぞれが、ワックスインク障壁によって分割され、
前記軸方向に放射状に広がった検査ゾーンのそれぞれが、その中に固有の試薬を含み、
前記複数の軸方向に放射状に広がった検査ゾーンを囲む基準領域を含み、
前記基準領域が、前記軸方向に放射状に広がった検査ゾーンのうちの１つ以上と比較するための予め決定可能な色を含むキャリブレーション色エリアを含む、比色分析処理方法。
【請求項１２】
前記生物医学的用紙センサが、
基準領域エリアと前記軸方向に放射状に広がった検査ゾーンエリアの合成エリアを含む全装置エリアを含み、
前記軸方向に放射状に広がった検査ゾーンエリアが、前記全装置エリアの少なくとも３７．５％である、請求項１１に記載の方法。
【請求項１３】
前記基準領域エリアが、前記軸方向に放射状に広がった検査ゾーンエリアと前記キャリブレーション色エリアとを分離する基板領域をさらに含む、請求項１２に記載の方法。
【請求項１４】
用紙ベースのセンサの比色分析処理方法であって、
比色反応のために比色用紙センサの写真を撮像することと、
画像処理によって用紙センサの種類を識別することと、
染料及び基準色の双方が吸収を有する色チャネルであって染料及び基準色の双方がほぼゼロの吸収を有する１つの前記色チャネルを識別することと、
各色チャネルにおける前記染料と前記基準色との間の既知の吸収率を識別することと、
非検査エリアから前記チャネルにおける各検査エリアを分離することと、
空間的変動を除去するために前記ほぼゼロの吸収チャネルによって各吸収チャネルを正規化することと、を含み、
前記比色用紙センサが生物医学的用紙センサであり、
前記生物医学的用紙センサが複数の軸方向に放射状に広がった検査ゾーンを含み、
前記軸方向に放射状に広がった検査ゾーンのそれぞれが、ワックスインク障壁によって分割され、
前記軸方向に放射状に広がった検査ゾーンのそれぞれが、その中に固有の試薬を含み、
前記複数の軸方向に放射状に広がった検査ゾーンを囲む基準領域を含み、
全装置エリアが基準領域エリアと前記軸方向に放射状に広がった検査ゾーンエリアの合成エリアを含み、
前記軸方向に放射状に広がった検査ゾーンエリアが、前記全装置エリアの少なくとも３７．５％であり、
前記基準領域エリアが、前記軸方向に放射状に広がった検査ゾーンエリアとキャリブレーション色エリアとを分離する基板領域をさらに含む、比色分析処理方法。
【請求項１５】
前記基準領域が、前記軸方向に放射状に広がった検査ゾーンのうちの１つ以上と比較するための予め決定可能な色を含むキャリブレーション色エリアを含む、請求項１４に記載の方法。
【請求項１６】
用紙ベースのセンサの比色分析処理方法であって、
比色反応のために比色用紙センサの写真を撮像することと、
画像処理によって用紙センサの種類を識別することと、
染料及び基準色の双方が吸収を有する色チャネルであって染料及び基準色の双方がほぼゼロの吸収を有する１つの前記色チャネルを識別することと、
各色チャネルにおける前記染料と前記基準色との間の既知の吸収率を識別することと、
非検査エリアから前記チャネルにおける各検査エリアを分離することと、
空間的変動を除去するために前記ほぼゼロの吸収チャネルによって各吸収チャネルを正規化することと、を含み、
前記比色用紙センサが生物医学的用紙センサである、比色分析処理方法。
【請求項１７】
検査エリアの数が少なくとも２つである、請求項１６に記載の比色分析処理方法。
【請求項１８】
前記生物医学的用紙センサがさらに、
基準領域エリアと軸方向の検査ゾーンエリアの合成エリアを含む全装置エリアを含み、
前記軸方向の検査ゾーンエリアが、前記全装置エリアの少なくとも３７．５％である、請求項１６に記載の方法。
【請求項１９】
前記用紙ベースのセンサが複数の軸方向に放射状に広がった検査ゾーンを囲む基準領域を有する構造形成層を含み、
前記基準領域が、複数の軸方向に放射状に広がった検査ゾーンのうちの１つ以上と比較するための予め決定可能な色を含むキャリブレーション色エリアを含む、請求項１６に記載の方法。
【請求項２０】
前記基準領域が、前記複数の軸方向に放射状に広がった検査ゾーンのうちの１つ以上と比較するための予め決定可能な色を含む別のキャリブレーション色エリアを含む、請求項１９に記載の方法。
【請求項２１】
追加のカメラを使用して前記比色用紙センサのさらに別の写真を撮像して１つ以上の吸収チャネルから合成画像を構成することをさらに含む、請求項２０に記載の方法。